(57)【特許請求の範囲】
【請求項１】
顧客との取引内容を示す取引情報を表示する表示ユニットを有するＰＯＳ端末であって、
筐体、
前記筐体の内部に形成され、電子部品を搭載した情報処理ユニットを収納する収納部、
前記筐体に形成され、前記収納部に外気を取り込む吸気孔、
前記筐体の上面から上方に突出し、前記表示ユニットを支持する支持部、
前記支持部の内部に形成され、前記収納部に連通して、上下方向に延びる第１通気路、および
前記第１通気路の上部にて開口し、前記第１通気路内の空気を外に排出する第１排気孔を備え、
前記表示ユニットは、ディスプレイおよび当該ディスプレイを収納するケースを備え、
前記ケースには、当該ケースの内部空間を前記第１通気路に連通させる連通孔が形成される、ＰＯＳ端末。
【請求項２】
前記吸気孔は、前記筐体の側壁に形成されている、請求項１記載のＰＯＳ端末。
【請求項３】
前記吸気孔は、前記情報処理ユニットよりも下方に形成されている、請求項１または２記載のＰＯＳ端末。
【請求項４】
前記第１排気孔は、前記支持部の側壁に形成される、請求項１ないし３のいずれかに記載のＰＯＳ端末。
【請求項５】
前記収納部において、前記第１通気路に連通して、前記情報処理ユニットに向かって延びる筒状の排気ダクトをさらに備える、請求項１ないし４のいずれかに記載のＰＯＳ端末。
【請求項６】
前記表示ユニットは、上下方向に延び、前記第１通気路に連通する第２通気路と、当該第２通気路の上部にて開口し、前記第１通気路内の空気を外に排出する第２排気孔とを有する、請求項１ないし５のいずれかに記載のＰＯＳ端末。
【請求項７】
前記第１通気路に設けられる排気ファンをさらに備える、請求項１ないし６のいずれかに記載のＰＯＳ端末。
【請求項８】
前記第１排気孔に設けられる風向き調整部をさらに備える、請求項１ないし７のいずれかに記載のＰＯＳ端末。
【請求項９】
顧客との取引内容を示す取引情報を表示する表示ユニットを有するＰＯＳ端末であって、
筐体、
前記筐体の内部に形成され、電子部品を搭載した情報処理ユニットを収納する収納部、
前記筐体に形成され、前記収納部に外気を取り込む吸気孔、
前記筐体の上面から上方に突出し、前記表示ユニットを支持する支持部、
前記支持部の内部に形成され、前記収納部に連通して、上下方向に延びる第１通気路、および
前記第１通気路の上部にて開口し、前記第１通気路内の空気を外に排出する第１排気孔を備え、
前記表示ユニットは、上下方向に延び、前記第１通気路に連通する第２通気路と、当該第２通気路の上部にて開口し、前記第１通気路内の空気を外に排出する第２排気孔とを有する、ＰＯＳ端末。
【発明の詳細な説明】
【技術分野】
【０００１】
この発明はＰＯＳ端末に関し、特にたとえば、取引情報を表示する表示ユニットを備える、ＰＯＳ端末に関する。
【背景技術】
【０００２】
ＰＯＳ端末は、一般に、レシートプリンタ、ドロア、カスタマディスプレイ、およびバーコードリーダ等の多くの周辺機器と接続され、主として個別の商品販売に関する販売情報を処理する。
【０００３】
そして、ＰＯＳ端末の筐体には、各処理を行うＣＰＵ（中央制御部）、電源部、あるいはチョークコイル等の電子部品を搭載した情報処理ユニットが内蔵される。当該電子部品は稼動によって発熱するので、それに伴ってＰＯＳ端末の内部温度も上昇する。ＰＯＳ端末の内部温度の上昇は、誤作動、データの損失、故障、および短命化等の問題を引き起こす。
【０００４】
この問題に対して、従来、筐体の側壁に通風孔を設け、筐体の後方の通風孔から排気ファンで強制排気するＰＯＳ端末がある（特許文献１を参照）。
【先行技術文献】
【特許文献】
【０００５】
【特許文献１】特開２０１１−８８１２号公報
【発明の概要】
【発明が解決しようとする課題】
【０００６】
しかしながら、特許文献１に開示された構成では、筐体の上部空間に籠る熱も側壁から排出されるので、排気ファンが必須であり、筐体内の排熱効率も悪い。また、筐体内の排熱効率を改善するためには、大型の排気ファンが必要になるという問題もある。さらに、筐体内の上部空間に籠る熱を逃がすために筐体の上面に通気口を設けることも考えられるが、このような構成では、水分や埃などが入り易いという問題がある。
【０００７】
したがって、従来の構成では、筐体内部の排熱効率が悪いため、改善の余地がある。
【０００８】
それゆえに、この発明の主たる目的は、新規な、ＰＯＳ端末を提供することである。
【０００９】
この発明の他の目的は、筐体内の温度上昇を効率的に抑制できるＰＯＳ端末を提供することである。
【課題を解決するための手段】
【００１０】
第１の発明は、顧客との取引内容を示す取引情報を表示する表示ユニットを有するＰＯＳ端末である。そして、ＰＯＳ端末は、筐体、筐体の内部に形成され、電子部品を搭載した情報処理ユニットを収納する収納部、筐体に形成され、収納部に外気を取り込む吸気孔、筐体の上面から上方に突出し、表示ユニットを支持する支持部、支持部の内部に形成され、収納部に連通して、上下方向に延びる第１通気路、および第１通気路の上部にて開口し、第１通気路内の空気を外に排出する第１排気孔を備える。表示ユニットは、ディスプレイおよび当該ディスプレイを収納するケースを備え、ケースには、当該ケースの内部空間を第１通気路に連通させる連通孔が形成される。
【００１１】
第１の発明によれば、支持部内に第１排気路を形成する。つまり、支持部を上下方向に延びる排気ダクトとして利用するので、支持部の煙突効果によって筐体内部の空気の対流が促進されて、筐体内の暖気が効率よく排出される。また、表示ユニットにおいても煙突効果を利用して効率よく排熱することができる。したがって、筐体内および表示ユニット内の温度上昇を効率的に抑制できる。
【００１２】
第２の発明は、第１の発明に従属するＰＯＳ端末であって、吸気孔は、筐体の側壁に形成されている。
【００１３】
第２の発明では、吸気孔が、筐体の側壁に形成される。このため、煙突効果を利用して効率よく排熱するとともに、吸気孔から筐体内部に埃などが侵入し難くなる。
【００１４】
第３の発明は、第１または第２の発明に従属するＰＯＳ端末であって、吸気孔は、情報処理ユニットよりも下方に形成される。
【００１５】
第３の発明では、吸気孔が、情報処理ユニットよりも下方に形成される。このため、吸気孔から取り込まれた空気は、情報処理ユニットを経由して排出される。したがって、効率よく排熱することができる。
【００１６】
第４の発明は、第１ないし第３のいずれかの発明に従属するＰＯＳ端末であって、第１排気孔は、支持部の側壁に形成される。
【００１７】
第４の発明によれば、第１排気孔が支持部の側壁に形成されるので、煙突効果を利用して効率よく排熱するとともに、第１排気孔に埃などが侵入し難くなる。
【００１８】
第５の発明は、第１ないし第４のいずれかの発明に従属するＰＯＳ端末であって、収納部において、第１通気路に連通して、情報処理ユニットに向かって延びる排気ダクトをさらに有する。
【００１９】
第５の発明によれば、収納部において、第１通気路に連通して、情報処理ユニットに向かって延びる筒状の排気ダクトを有するので、情報処理ユニット近傍の暖気を第１通気路に導きやすくするとともに、排気経路の上下方向が延長されて煙突効果をさらに高めることができる。
【００２０】
第６の発明は、第１ないし第５のいずれかの発明に従属するＰＯＳ端末であって、表示ユニットは、上下方向に延び、第１通気路に連通する第２通気路と、第２通気路の上部にて開口し、第2
通気路内の空気を外に排出する第２排気孔とを有する。
【００２１】
第６の発明によれば、第１通気路に連通した第２通気路が上下方向に延び、第２排気孔が表示ユニットの上部にて開口するので、第１通気路における上方への空気の流れ（煙突効果）を第２通気路にも導入することができる。したがって、表示ユニットにおいても煙突効果を利用して効率よく排熱することができる。
【００２２】
第７の発明は、第１ないし第６のいずれかの発明に従属するＰＯＳ端末であって、第１通気路内に設けられる排気ファンをさらに備える。
【００２３】
第７の発明によれば、第１通気路内に設けられる排気ファンをさらに備えるので、煙突効果とファンによる空気の流れとの相乗効果によって、より適切に排熱することができる。
【００２４】
第８の発明は、第１ないし第７の発明に従属するＰＯＳ端末であって、第１排気孔に設けられる風向き調整部をさらに備える。
【００２５】
第８の発明によれば、第１排気孔に設けられる風向き調整部によって、第１排気孔から排出される空気の流れる方向を変化させることができるので、ＰＯＳ端末の近くにいる人に高温の空気が直接当たらないようにすることができる。
【００２６】
第９の発明は、顧客との取引内容を示す取引情報を表示する表示ユニットを有するＰＯＳ端末である。そして、ＰＯＳ端末は、筐体、筐体の内部に形成され、電子部品を搭載した情報処理ユニットを収納する収納部、筐体に形成され、収納部に外気を取り込む吸気孔、筐体の上面から上方に突出し、表示ユニットを支持する支持部、支持部の内部に形成され、収納部に連通して、上下方向に延びる第１通気路、および第１通気路の上部にて開口し、第１通気路内の空気を外に排出する第１排気孔を備える。表示ユニットは、上下方向に延び、第１通気路に連通する第２通気路と、当該第２通気路の上部にて開口し、第１通気路内の空気を外に排出する第２排気孔とを有する。
【００２７】
第９の発明によれば、第１排気孔の近傍に芳香剤を収納可能な芳香剤ホルダーを備えるので、芳香剤ホルダーに芳香剤を入れておけば、第１排気孔から排出される空気に香りを付加することができる。
【発明の効果】
【００２８】
この発明によれば、ＰＯＳ端末の筐体内の温度上昇を効率的に抑制できる。
【図面の簡単な説明】
【００２９】
【図１】図１は、この発明の第１実施例であるＰＯＳ端末の外観を示す斜視図である。
【図２】図２は、図１のＰＯＳ端末を示す平面図である。
【図３】図３は、図１のＰＯＳ端末の内部構造を示す概略断面図である。
【図４】図４は、第２実施例における、ＰＯＳ端末の内部構造を示す概略断面図である。
【図５】図５は、第３実施例における、ＰＯＳ端末の内部構造を示す概略断面図である。
【図６】図６は、第４実施例における、ＰＯＳ端末の内部構造を示す概略断面図である。
【図７】図７は、第５実施例における、ＰＯＳ端末の内部構造を示す概略断面図である。
【発明を実施するための形態】
【００３０】
［第１実施例］
図１は、この発明の一実施例であるＰＯＳ端末の外観を示す斜視図である。図２は、図１のＰＯＳ端末を示す平面図である。
【００３１】
図１および図２を参照して、この発明の第１実施例であるＰＯＳ（Ｐｏｉｎｔ ｏｆ ｓａｌｅｓ）端末１０は、基本的な構成として、筐体１２、表示ユニット１４、および表示ユニット１４を支持する支持部１６とを備える。
【００３２】
ＰＯＳ端末１０は、スーパーマーケット等の店舗に設置され顧客が購入する購入商品の登録や精算等を行うものであり、当該店舗におけるレジ係などの操作者（オペレータ）が操作する端末である。具体的には、ＰＯＳ端末１０は、購入商品から商品識別コードを読み取り、読み取った購入商品について購入金額を登録する登録処理を行うとともに購入商品の購入金額や不足金額を表示する。
【００３３】
このためＰＯＳ端末１０は、たとえば購入商品の購入金額等の、顧客との取引内容を示す取引情報の入力指示を行うキーボード１８と、レシートを発行する印刷部２０と、購入商品の取引価格を顧客に向けて表示する顧客用価格表示部（不図示）とをさらに備える。
【００３４】
なお、以下の説明では、操作者の立ち位置に対向する面、つまり表示ユニット１４のディスプレイ１４Ａが設けられる側の面を前面（正面）としてＰＯＳ端末１０およびその構成部材の前後方向（奥行方向）を規定し、ＰＯＳ端末１０およびその構成部材の左右方向（横方向）は、操作者からＰＯＳ端末１０を見た状態を基準として規定する。
【００３５】
第１実施例では、キーボード１８および印刷部２０は筐体１２の上面に設けられる。具体的には、キーボード１８は、筐体１２の上面の前部右側に配置され、印刷部２０における印字紙を排紙する排紙口２０Ａは、筐体１２の上面の後部左側に配置される。
【００３６】
また、ＰＯＳ端末１０は、上述の構成に限られず、購入商品のバーコード等の商品識別コードを読み取る商品識別コード読取部としてのバーコードリーダ、クレジットカードや会員カード等が備える磁気ストライプに記録された情報を読み取る磁気カードリーダ、紙幣および硬貨を収納する収納庫であるドロア、入金される紙幣および硬貨の取り込み及び計数を自動で行う自動入金ユニット、つり銭としての出金される紙幣および硬貨の計数及び放出を自動で行う自動出金ユニット等を有することもできる。
【００３７】
図３は、図１のＰＯＳ端末の内部構造を示す概略断面図である。
【００３８】
図３を参照して、筐体１２は、平面視において四角形をなす箱型の形状である。また、筐体１２には、前面下部から前方に突出する突出部が形成される。この突出部の上面は、前方に行くに連れて（操作者に近づくに連れて）下方に傾斜する傾斜面になっている。そして、この突出部の上面にキーボード１８が配置される。
【００３９】
また、筐体１２の内部には、ＰＯＳ端末１０の各部位の動作を制御する情報処理ユニット２２を収容する収納部１２Ａが形成される。
【００４０】
情報処理ユニット２２は、ＣＰＵおよびメモリ等として機能する電子部品を備え、操作者によるキーボード１８への入力操作などに応じて、ＰＯＳ端末１０の各部位に制御信号を送信し、ＰＯＳ端末１０に種々の動作を実行させる。情報処理ユニット２２の電子部品は、稼動に伴って発熱する。したがって、ＰＯＳ端末１０を稼働させることにより、情報処理ユニット２２の電子部品が発熱し、この電子部品が、収納部１２Ａの温度を上昇させる原因となる。なお、図示は省略するが、情報処理ユニット２２およびその周辺に風を送るための専用のファンが設けられる。このファンにより、情報処理ユニット２２の電子部品の熱が収納部１２Ａに拡散される。
【００４１】
また、筐体１２には、収納部１２Ａに外気を取り込む吸気孔１２Ｂ、１２Ｃと、収納部１２Ａの空気を排出する連通孔１２Ｄとが設けられる。
【００４２】
第１実施例では、吸気孔１２Ｂ、１２Ｃは、筐体１２の側壁に形成される。具体的には、吸気孔１２Ｂは、筐体１２の突出部分の前壁に形成され、吸気孔１２Ｃは、筐体１２の後壁に形成される。また、この第１実施例では、吸気孔１２Ｂ、１２Ｃは、それぞれ横長の孔であり、上下方向に沿って複数配置される。そして、複数の吸気孔１２Ｂ、１２Ｃのうち、一部の吸気孔１２Ｂ、１２Ｃは、情報処理ユニット２２よりも下方に形成される。
【００４３】
さらに、筐体１２の下面には、筐体１２を支持する脚部２４が取り付けられる。第１実施例では、脚部２４は、４つ設けられており、筐体１２の下面の四隅にそれぞれ取り付けられる。したがって、レジ台またはキャッシュドロアの上面など、平らな面の上にＰＯＳ端末１０が載置された場合に、ＰＯＳ端末１０（筐体１２）の下方に脚部２４の高さ分の空間が形成される。
【００４４】
また、筐体１２の上面には、上方に突出し、表示ユニット１４を支持する支持部１６が設けられる。
【００４５】
表示ユニット１４は、支持部１６に支持されており、顧客との取引内容を示す取引情報を操作者に向けてディスプレイ１４Ａに表示する。そして、表示ユニット１４は、ディスプレイ１４Ａを収納するケース１４Ｂを備え、このケース１４Ｂの前面側にディスプレイ１４Ａが設けられる。また、ケース１４Ｂの内部におけるディスプレイ１４Ａの後方には、内部空間１４Ｃが形成される。さらに、ケース１４Ｂの後面には、後方に突出し、支持部１６に連結される中空の腕部が設けられる。この腕部の内部空間は、内部空間１４Ｃに連通する。
【００４６】
ディスプレイ１４Ａは、液晶表示パネルに圧電センサ等が積層されて構成されたタッチパネル式のディスプレイである。そして、ディスプレイ１４Ａには、操作者に対して提示する取引情報に加え、各種設定や印刷指示などを操作者から受け付けるためのソフトウェアのボタンおよびメッセージ等が表示される。このディスプレイ１４Ａとしては、たとえばＬＣＤやＥＬ（Electro-Luminescence）ディスプレイなどを用いることができる。
【００４７】
筐体１２と支持部１６との連結部分には、筐体１２の収納部１２Ａと支持部１６の第１通気路１６Ａとを連通する連通孔１２Ｄが形成される。第１実施例では、支持部１６は、下部が連通孔１２Ｄに嵌め込まれて回動可能に筐体１２に連結される。なお、支持部１６が筐体１２に対して回動しないように連結されていても良い。また、筐体１２と支持部１６とが同一の部材で構成されていても良い。
【００４８】
また、支持部１６には、連通孔１２Ｄを介して筐体１２の収納部１２Ａに連通して、上下方向に延びる第１通気路１６Ａと、第１通気路１６Ａの上部において開口し、第１通気路１６Ａの内部の空気を外に排出する第１排気孔１６Ｂとが形成される。
【００４９】
第1実施例では、支持部１６は、円筒状をなし、その内側が第１通気路１６Ａとして機能する。そして、第１通気路１６Ａの上側の開口が第１排気孔１６Ｂとして機能する。
【００５０】
また、第１排気孔１６Ｂに取り付けられた排気カバー２８が、第１排気孔１６Ｂから排出される空気の向きを横向きに変える。この排気カバー２８は、第１排気孔１６Ｂを覆うように回動可能に連結され、周方向の３６０°に向きが可変的に設けられる。第１実施例では、排気カバー２８は、第１排気孔１６Ｂから排出される空気の向きが後方（操作者の反対側）になるように設けられる。つまり、第１排気孔１６Ｂから排出される空気は、操作者の反対側に向かって排出されるのである。
【００５１】
さらに、収納部１２Ａにおいて、第１通気路１６Ａに連通して、情報処理ユニット２２に向かって延びる円筒状の排気ダクト１２Ｅが設けられる。具体的には、排気ダクト１２Ｅは、第１通気路１６Ａに連続して、下方に延びるものである。つまり、第１通気路１６Ａを実質的に下方に延長するものである。第１実施例では、筐体１２内の上部に本体シャーシ１２Ｆが設けられており、当該本体シャーシ１２Ｆのフランジ部が、第１通気路１６Ａの周縁に沿って下方に延びるように形成されており、当該フランジ部が排気ダクト１２Ｅとして機能する。
【００５２】
また、表示ユニット１４のケース１４Ｂには、当該ケース１４Ｂの内部空間１４Ｃを第１通気路１６Ａに連通させる連通孔１４Ｄ、１４Ｅが形成される。第１実施例では、連通孔１４Ｄ、１４Ｅは、ケース１４Ｂの腕部の上面および下面にそれぞれ形成される。具体的には、ケース１４Ｂの腕部の上面に連通孔１４Ｄが開口し、ケース１４Ｂの腕部の下面に連通孔１４Ｅが開口される。つまり、表示ユニット１４の内部空間１４Ｃは、第１通気路１６Ａに連通しる。さらに、ケース１４Ｂの下面には、内部空間１４Ｃに外気を取り込む吸気孔１４Ｆが形成される。
【００５３】
以上のように構成されるので、ＰＯＳ端末１０には、下方から順に、吸気孔１２Ｂおよび１２Ｃ、収納部１２Ａ、排気ダクト１２Ｅ、連通孔１２Ｄ、第１通気路１６Ａおよび第１排気孔１６Ｂを通る冷却風路が形成される。
【００５４】
ここで、ＰＯＳ端末１０が稼働した場合、情報処理ユニット２２の電子部品が発熱して収納部１２Ａの空気が暖められて外気よりも高温になる。そうすると、図３の矢印で示すように、収納部１２Ａにある高温の空気が、冷却風路を上昇する。そして、上昇した空気が第１排気孔１６Ｂから外に排出されるとともに、空気が上昇したことにより収納部１２Ａが負圧になっているので、吸気孔１２Ｂおよび１２Ｃから外気が収納部１２Ａに取り込まれる。つまり、第1実施例のＰＯＳ端末１０は、冷却風路において上向きの空気の流れ（煙突効果）を得ることができる。
【００５５】
また、冷却風路における上向きの空気の流れを利用して、表示ユニット１４のケース１４Ｂの内部の空気が、第１通気路１６Ａに流れ込み、冷却風路を介して外部に排出される。また、空気が排出されたことにより内部空間１４Ｃが負圧になっているので、吸気孔１４Ｆから外気が収納部１２Ａに取り込まれる。つまり、第1実施例のＰＯＳ端末１０は、表示ユニット１４においてもディスプレイ１４Ａが発熱することを利用した上向きの空気の流れ（煙突効果）を得ることができる。
【００５６】
この第１実施例によれば、ＰＯＳ端末１０は、下方から順に、吸気孔１２Ｂおよび１２Ｃ、収納部間１２Ａ、排気ダクト１２Ｅ、連通孔１２Ｄ、第１通気路１６Ａおよび第１排気孔１６Ｂを通る冷却風路Ｖにおいて上向きの空気の流れを得ることができ、第１排気孔１６Ｂから高温の空気を排出するとともに、吸気孔１２Ｂおよび１２Ｃから比較的低温な外気を取り込むことができる。したがって、ＰＯＳ端末１０において、煙突効果を利用して効率よく排熱して、筐体１２内の温度上昇を効率的に抑制できる。また、複数の吸気孔１２Ｂ、１２Ｃのうち、一部の吸気孔１２Ｂ、１２Ｃは、情報処理ユニット２２よりも下方に形成されるので、吸気孔１２Ｂ、１２Ｃから取り込まれた空気は、情報処理ユニット２２を経由して排出される。したがって、効率よく排熱することができる。
【００５７】
第１実施例によれば、第１排気孔１６Ｂを覆う排気カバー２８が設けられるので、第１排気孔１６Ｂに埃等が侵入し難くなる。また、排気カバー２８は、第１排気孔１６Ｂから排出される空気の向きが後方になるように設けられるので、第１排気孔１６Ｂから排出される高温の空気が操作者に直接当たることを防止できる。
【００５８】
第１実施例によれば、筐体１２は、第１通気路１６Ａに連通して、情報処理ユニット２２に向かって延びる円筒状の排気ダクト１２Ｅが設けられるので、第１通気路１６Ａを実質的に下方に延長し、煙突効果をさらに高めることができる。
【００５９】
第１実施例によれば、表示ユニット１４のケース１４Ｂの内部空間１４Ｃを冷却風路の途中に連通させる連通孔１４Ｄ、１４Ｅが形成されるとともに、ケース１４Ｂの下面に開口する吸気孔１４Ｆが形成されるので、ケース１４Ｂの内部の空気を、冷却風路を介して第１排気孔１６Ｂから排出することができる。したがって、表示ユニット１４においても、煙突効果を利用して効率よく排熱して、表示ユニット１４内の温度上昇を効率的に抑制できる。
［第２実施例］
第２実施例のＰＯＳ端末１０は、排気カバー２８の向きが異なる以外は、第１実施例のＰＯＳ端末１０と同じであるため、第１実施例と異なる内容について説明し、重複した説明については省略することにする。
【００６０】
図４は、第２実施例における、ＰＯＳ端末の内部構造を示す概略断面図である。
【００６１】
図４を参照して、ＰＯＳ端末１０は、排気カバー２８が、第１排気孔１６Ｂから排出される空気の向きが前方（操作者側）になるように設けられる。この場合でも、第２実施例では、第１排気孔１６と操作者の立ち位置との間には、表示ユニット１４が介在しているため、第１排気孔１６から排出された高温の空気が操作者に直接当たることは無い。
【００６２】
この第２実施例においても、第１実施例と同様に、ＰＯＳ端末１０において、煙突効果を利用して効率よく排熱して、筐体１２内の温度上昇を効率的に抑制できる。
【００６３】
また、ＰＯＳ端末１０の後方に顧客が立つような場合でも、排出される高温の空気が顧客に直接当たることを防止できる。
［第３実施例］
第３実施例のＰＯＳ端末１０は、第１通気路１６Ａに設けられた芳香剤ホルダー２６、および第１通気路１６Ａに設けられる排気ファン３０をさらに備える以外は、第１実施例のＰＯＳ端末１０と同じであるため、第１実施例と異なる内容について説明し、重複した説明については省略することにする。
【００６４】
図５は、第３実施例における、ＰＯＳ端末の内部構造を示す概略断面図である。
【００６５】
図５を参照して、第３実施例のＰＯＳ端末１０は、排気ファン３０が、第１通気路１６Ａの下部に設けられる。具体的には、排気ファン３０は、第１通気路１６Ａの内面に取り付けられた軸流ファンであり、第１排気孔１６Ｂ（上方）に向かう空気の流れを作り出すものである。なお、排気ファン３０の位置は第１通気路１６Ａの下部に設けられる場合に限定されず、第１通気路１６Ａの上部に設けられていてもよい。
【００６６】
第３実施例では、排気ファン３０は、ＰＯＳ端末１０の主電源と連動しており、ＰＯＳ端末１０がオンになれば作動し、ＰＯＳ端末１０がオフになれば停止するように制御される。なお、収納部１２Ａの温度を検出する温度センサを備え、当該温度センサが検出した温度が所定の温度よりも高くなった場合に排気ファン３０を作動させるようにしてもよい。
【００６７】
また、第３実施例のＰＯＳ端末１０は、芳香剤ホルダー２６は、第１通気路１６Ａ内における上部に設けられる。つまり、芳香剤ホルダー２６は、第１排気孔１６Ｂの近傍に設けられる。ここで、芳香剤ホルダー２６に収納される芳香剤は、固体のものであってもよいし、液体のものであってもよい。また、使用される芳香剤は、空気に香りづけする芳香物質を含む芳香剤だけでなく、アロマオイル等のアロマ効果を生じさせる芳香剤でもよい。
【００６８】
この第３実施例によれば、第１通気路１６Ａ内の空気を排気するための排気ファン３０をさらに備えるので、煙突効果と排気ファン３０による空気の流れとの相乗効果によって、より適切に排熱して、筐体１２内の温度上昇を効率的に抑制できる。
【００６９】
また、第１排気孔１６Ｂの近傍に芳香剤を収納可能な芳香剤ホルダー２６を備えるので、芳香剤ホルダー２６に芳香剤を入れておけば、第１排気孔１６Ｂから排出される空気に香りを付加することができる。
［第４実施例］
第４実施例のＰＯＳ端末１０は、表示ユニット１４のケース１４Ｂに第２排気孔１４Ｇが設けられ、内部空間１４Ｃが、第２通気路１４Ｈとして機能する以外は、第１実施例のＰＯＳ端末１０と同じであるため、第１実施例と異なる内容について説明し、重複した説明については省略することにする。
【００７０】
図６は、第４実施例における、ＰＯＳ端末の内部構造を示す概略断面図である。
【００７１】
図６を参照して、ＰＯＳ端末１０は、表示ユニット１４のケース１４Ｂに空気を外に排出する第２排気孔１４Ｇが設けられる。具体的には、第２排気孔１４Ｇは、ケース１４Ｂの後壁の上部に形成されている。
【００７２】
ここで、上述したように、ケース１４Ｂの内部におけるディスプレイ１４Ａの後方に形成された内部空間１４Ｃは、ケース１４Ｂの中空の腕部に形成された連通孔１４Ｄ、１４Ｅによって冷却風路の途中（第１通気路１６Ａ）に連通している。さらに、ケース１４Ｂの下面に開口する吸気孔１４Ｆが形成されている。
【００７３】
したがって、ディスプレイ１４Ａが稼働することによってケース１４Ｂの内部空間１４Ｃの空気が暖められると、空気が上昇して第２排気孔１４Ｇから外に排出される。これにより、ケース１４Ｂの内部空間１４Ｃが負圧になるので、吸気孔１４Ｆから外気が取り込まれ、煙突効果により空気が上昇し、第２排気孔１４Ｇから排出される。つまり、第４実施例では、ケース１４Ｂの内部空間１４Ｃは、第１通気路１６Ａとは異なる第２通気路１４Ｈとして機能する。
【００７４】
この第４実施例によれば、第２通気路１４Ｈ内の空気を外に排出する第２排気孔１４Ｇが、ケース１４Ｂの後壁の上部に形成されているので、ディスプレイ１４Ａが稼働して発熱することにより、内部空間１４Ｃにおいても煙突効果を得ることができる。また、連通孔１４Ｅを介して、第１通気路１６Ａにおける上方への空気の流れ（煙突効果）を第２通気路１４Ｈにも導入することができる。したがって、煙突効果を利用して効率よく排熱して、筐体１２および表示ユニット１４内の温度上昇を効率的に抑制できる。
［第５実施例］
第５実施例のＰＯＳ端末１０は、顧客用の表示ユニット３４および当該表示ユニット３４を支持する支持部３６をさらに備える以外は、第１実施例のＰＯＳ端末１０と同じであるため、第１実施例と異なる内容について説明し、重複した説明については省略することにする。
【００７５】
図７は、第５実施例における、ＰＯＳ端末の内部構造を示す概略断面図である。
【００７６】
図７を参照して、ＰＯＳ端末１０は、顧客用の表示ユニット３４および支持部３６が、表示ユニット１４および支持部１６の後方（顧客側）に設けられる。そして、顧客用表示ユニット３４は、顧客側、つまり、表示ユニット１４の反対側を向いて設けられる。また、筐体１２と支持部３６との連結部分には、筐体１２の収納部１２Ａと支持部３６の第３通気路３６Ａとを連通する連通孔３２Ｄが形成されている。
【００７７】
表示ユニット３４は、その物理的な構成は表示ユニット１４と同じであるが、ディスプレイ３４Ａに表示される情報の内容が異なるものである。具体的には、表示ユニット３４は、顧客に対して提示する取引情報に加え、支払方法を選択したり、年齢確認をしたりする際のメッセージおよびボタンなどを表示する。
【００７８】
また、支持部３６には、連通孔３２Ｄを介して筐体１２の収納部１２Ａに連通して、上下方向に延びる第３通気路３６Ａと、第３通気路３６Ａの上部において開口し、第３通気路３６Ａの内部の空気を外に排出する第３排気孔３６Ｂとが形成される。さらに、第３排気孔３６Ｂに取り付けられた排気カバー３８が設けられる。第３実施例では、排気カバー３８は、第３排気孔３６Ｂから排出される空気の向きが前方（操作者側）になるように設けられる。つまり、排気カバー３８は、第３排気孔３６Ｂから排出される空気の向きが、第１排気孔１６Ｂから排出される空気の向きと対向するように設けられる。なお、支持部３６は、支持部１６の対称構造となっており、説明しない他の基本的な構成は支持部１６と同じである。
【００７９】
この第５実施例によれば、顧客用の表示ユニット３４を支持する支持部３６にも第３通気路３６Ａが形成されているので、顧客用の表示ユニット３４を備えるＰＯＳ端末１０において、煙突効果を利用して効率よく排熱して、筐体１２内の温度上昇を効率的に抑制できる。
【００８０】
また、排気カバー３８が、第３排気孔３６Ｂから排出される空気の向きが、第１排気孔１６Ｂから排出される空気の向きと対向するように設けられるので、第１排気孔１６Ｂおよび第３排気孔３６Ｂから排出された空気がＰＯＳ端末の近くにいる人に直接当たらないようにすることができる。
【００８１】
なお、上述の実施例では、吸気孔１２Ｂおよび１２Ｃは、筐体１２における前壁または後壁に形成されているが、これに限定される必要はない。たとえば、吸気孔が筐体１２の底面に形成されているものであってもよい。このように吸気孔が底面に形成される場合、吸気孔から取り込まれた空気が確実に情報処理ユニット２２の近傍を通るようにするために、吸気孔が情報処理ユニット２２の真下に形成されていてもよい。なお、上述したように、筐体１２の下面には脚部２４が取り付けられている。したがって、脚部２４により、ＰＯＳ端末１０（筐体１２）の下方に空間が形成されるので、吸気孔が底面に形成される場合でも、外気を取り込むことができるのである。このようにすれば、吸気孔から取り込まれた空気が、情報処理ユニット２２を経由して排出されるので、煙突効果を利用して効率よく排熱することができる。
【００８２】
また、排気カバー２８に代えて、他の態様の風向き調整部をさらに備えてもよい。たとえば、第１排気孔１６Ｂの近傍に羽板（ルーバー）を設け、排出される空気の向きを変化させることが考えられる。この羽板は手動で角度を調整できるものであってもよいし、自動で角度を調整またはスイングするようにしてもよい。このようにすれば、風向き調整部によって第１排気孔１６Ｂから排出される空気の流れる方向を変化させることができるので、ＰＯＳ端末１０の配置の態様に応じて、ＰＯＳ端末１０の近くにいる人に高温の空気が直接当たらないようにすることができる。なお、この風向き調整部は、第２排気孔１４Ｇおよび第３排気孔３６Ｂにも適用することができる。
【００８３】
さらに、支持部１６と排気カバー２８とが同一の部材で構成されていても良い。この場合、第１排気孔１６Ｂは、支持部１６の側壁に形成される。
【００８４】
また、第１実施例および第２実施例に示した態様に、第３実施例ないし第５実施例の１つ以上を同時に採用することも可能である。
【００８５】
さらに、上述の実施例で挙げた具体的な構成等は一例であり、実際の製品に応じて適宜変更することが可能である。
【符号の説明】
【００８６】
１０  …ＰＯＳ端末
１２  …筐体
１４  …表示ユニット
１６  …支持部
１８  …キーボード
２０  …印刷部
２２  …情報処理ユニット
【図１】
0006403259.tif 000002
【図２】
0006403259.tif 000003
【図３】
0006403259.tif 000004
【図４】
0006403259.tif 000005
【図５】
0006403259.tif 000006
【図６】
0006403259.tif 000007
【図７】
0006403259.tif 000008